(57)【特許請求の範囲】
【請求項１】
相手先の通信端末装置から画像データをファクシミリ受信し、当該画像データのＥＱＭ（アイ品質モニタ）値の平均値及びバラツキ並びに画像データのエラーライン数を測定してＥＱＭデータテーブルとして記憶する記憶手段と、
別のファクシミリ通信において、相手先の通信端末装置からトレーニング信号を受信してトレーニング処理を実行し、当該トレーニング信号のＥＱＭ値の平均値及びバラツキを測定し、測定されたＥＱＭ値の平均値及びバラツキを上記ＥＱＭデータテーブル内のＥＱＭ値の平均値及びバラツキと比較し、一致しないとき再度トレーニング処理を実行するように制御する制御手段を備えたことを特徴とする通信端末装置。
【請求項２】
上記制御手段は、上記測定されたＥＱＭ値の平均値及びバラツキを上記ＥＱＭデータテーブル内のＥＱＭ値の平均値及びバラツキと比較したときに、一致しているとき画像データを受信するように制御することを特徴とする請求項１記載の通信端末装置。
【請求項３】
上記制御手段は、上記測定されたＥＱＭ値の平均値及びバラツキを上記ＥＱＭデータテーブル内のＥＱＭ値の平均値及びバラツキと比較したときに、一致しているとき画像データを受信する前に、上記一致したＥＱＭ値の平均値及びバラツキに対応する上記ＥＱＭデータテーブル内の画像データのエラーライン数が０を超えるときに、再度トレーニング処理を実行するように制御する請求項２記載の通信端末装置。
【発明の詳細な説明】
【技術分野】
【０００１】
本発明は、例えば、ファクシミリ装置等の通信端末装置に関する。
【背景技術】
【０００２】
従来、ファクシミリ装置等の通信端末装置において、受信側通信端末装置が発信側通信端末装置毎に通信速度を記憶することで、発信側通信端末装置毎に最適な通信速度で通信する方法が知られている。
【０００３】
例えば、特許文献１の通信装置では、制御部は、ファクシミリ着信時に検出部によって発信者番号通知サービスから検出した発信者番号が記憶部に記憶されているときには、網制御部及びモデムによってトレーニング時にその発信者番号に対応して記憶されている最適信号速度にシフトダウンするまでＦＴＴを返し、その最適信号速度でＣＦＲを返すように制御する一方、ファクシミリ着信時に検出した発信者番号が記憶部に記憶されていないときには、その発信者番号とそのファクシミリ通信結果から判定した最適信号速度を対応させて記憶する。
【０００４】
【特許文献１】特開平１０−１６４２５３号公報。
【発明の開示】
【発明が解決しようとする課題】
【０００５】
しかしながら、上記従来例の通信装置においては、発信者番号に対応する記憶された通信速度を記憶部からから読み出しても、その通信速度がその時点での最適な通信速度であるとは限らず、通信時の回線状況によっては、低品質の画像データを受信する可能性があるという問題があった。
【０００６】
本発明の目的は以上の問題点を解決し、画像データ受信時の回線品質を考慮することによって画像データをより確実に受信することができるファクシミリ装置等の通信端末装置を提供することにある。
【課題を解決するための手段】
【０００７】
本発明に係る通信端末装置は、相手先の通信端末装置から画像データをファクシミリ受信し、当該画像データのＥＱＭ（アイ品質モニタ）値の平均値及びバラツキ並びに画像データのエラーライン数を測定してＥＱＭデータテーブルとして記憶する記憶手段と、別のファクシミリ通信において、相手先の通信端末装置からトレーニング信号を受信してトレーニング処理を実行し、当該トレーニング信号のＥＱＭ値の平均値及びバラツキを測定し、測定されたＥＱＭ値の平均値及びバラツキを上記ＥＱＭデータテーブル内のＥＱＭ値の平均値及びバラツキと比較し、一致しないとき再度トレーニング処理を実行するように制御する制御手段を備えたことを特徴とする。
【０００８】
また、上記通信端末装置において、上記制御手段は、上記測定されたＥＱＭ値の平均値及びバラツキを上記ＥＱＭデータテーブル内のＥＱＭ値の平均値及びバラツキと比較したときに、一致しているとき画像データを受信するように制御することを特徴とする。
【０００９】
さらに、上記通信端末装置において、上記制御手段は、上記測定されたＥＱＭ値の平均値及びバラツキを上記ＥＱＭデータテーブル内のＥＱＭ値の平均値及びバラツキと比較したときに、一致しているとき画像データを受信する前に、上記一致したＥＱＭ値の平均値及びバラツキに対応する上記ＥＱＭデータテーブル内の画像データのエラーライン数が０を超えるときに、再度トレーニング処理を実行するように制御することを特徴とする。
【発明の効果】
【００１０】
従って、本発明に係る通信端末装置によれば、画像データ受信時の回線品質を考慮することによって画像データをより確実に受信することができるファクシミリ装置等の通信端末装置を実現できる。本発明に係る通信端末装置によれば、予め測定された画像データのＥＱＭ値に基づいて伝送レートを決定するので、より確実に画像データを受信することができる。また、予め測定された画像データのエラーライン数に基づいて伝送レートを決定するので、より確実に画像データを受信することができる。
【発明を実施するための最良の形態】
【００１１】
以下、本発明に係る実施形態について図面を参照して説明する。なお、以下の各実施形態において、同様の構成要素については同一の符号を付している。
【００１２】
実施形態．
図１は、本発明に係る実施形態であるファクシミリ装置２０の構成を示すブロック図である。本実施形態に係るファクシミリ装置２０は、相手先のファクシミリ装置から画像データを受信し、ＲＡＭ７は、当該画像データのＥＱＭ（アイ品質モニタ）値の平均値及びバラツキ並びに画像データのエラーライン数を測定してＥＱＭデータテーブル７ａとして記憶し、主制御部１は、別のファクシミリ通信において、相手先のファクシミリ装置からトレーニング信号を受信してトレーニング処理を実行し（図３のステップＳ４）、当該トレーニング信号のＥＱＭ値の平均値及びバラツキを測定し（ステップＳ４−Ｓ５）、測定されたＥＱＭ値の平均値及びバラツキを上記ＥＱＭデータテーブル内のＥＱＭ値の平均値及びバラツキと比較し（ステップＳ６−７）、一致しないとき（ステップＳ７でＮＯ）再度トレーニング処理を実行する（ステップＳ８）ように制御する一方、一致しているとき（ステップＳ７でＹＥＳ）画像データを受信する（ステップＳ９−１０）ように制御することを特徴とする。
【００１３】
また、上記ファクシミリ装置２０において、主制御部１は、上記測定されたＥＱＭ値の平均値及びバラツキを上記ＥＱＭデータテーブル内のＥＱＭ値の平均値及びバラツキと比較したときに、一致しているとき画像データを受信する（ステップＳ９−Ｓ１０）前に、上記一致したＥＱＭ値の平均値及びバラツキに対応する上記ＥＱＭデータテーブル内の画像データのエラーライン数が０を超えるときに（ステップＳ７ＡでＹＥＳ）、再度トレーニング処理を実行する（ステップＳ８）ように制御する。
【００１４】
図１において、ファクシミリ装置２０は、主制御部（ＣＰＵ）１と、画像読取部２と、画像記録部３と、表示部４と、操作部５と、ＲＯＭ６と、ＲＡＭ７と、画像メモリ８と、ファックスモデム１０と、ＮＣＵ（ネットワーク制御回路：Network Control Unit）１１と、ＬＡＮインターフェース回路１２とを備えて構成され、上記各構成要素１乃至１２は、バス１３を介して互いに接続されている。ＮＣＵ１１は、公衆電話回線Ｌを介して相手先のファクシミリ装置と接続されている。
【００１５】
ファクシミリ装置２０は、従来のＧ３方式等のファクシミリ通信機能を備える。主制御部１は具体的にはＣＰＵ（中央処理装置：Central Processing Unit）で構成されており、バス１３を介して以下のハードウェア各部と接続されていてそれらを制御するほか、後述する種々のソフトウェアの機能を実行する。
【００１６】
画像読取部２は、ＣＣＤ等を利用したスキャナで原稿を読み取り、白黒２値に変更したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態の表示や、送信すべき原稿のイメージデータ及び受信したイメージデータの表示を行う。操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１７】
ＲＯＭ６は、当該ファクシミリ装置２０の動作に必要であって主制御部１によって実行される種々のソフトウェアのプログラムを予め格納し、ここで、当該プログラムは、少なくとも図３ファクシミリ受信処理のプログラムを含む。ＲＡＭ７（Random Access Memory）は、ＳＲＡＭ（Static Random Access Memory）又はフラッシュメモリ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ（Dynamic Random Access Memory）等で構成され、送信すべきイメージデータ又は受信したイメージデータを記憶する。なお、ＲＡＭ７及び画像メモリ８をハードディスクメモリで構成してもよい。
【００１８】
ここで、ＲＡＭ７は、図２のＥＱＭデータテーブル７ａを記憶する。ＥＱＭデータテーブル７ａは、図２に示すように、伝送モード及び伝送速度毎のＥＱＭ（アイ品質モニタ：Eye Quality Monitor）値の平均値、ＥＱＭ値のバラツキ、及び画像データのエラーライン数を格納してなる。ＥＱＭ値のバラツキとは、最大のＥＱＭ値と最小のＥＱＭ値との差分である。
【００１９】
ファックスモデム１０は、ＮＣＵ１１を介して公衆電話回線Ｌに接続され、通常のファクシミリ通信用のファックスモデムの機能を有するモデムであり、ＦＳＫ信号として受信される発信電話番号情報のデータを復調して主制御部１に出力する。ＮＣＵ１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ＩＳＤＮ回線等のベースバンド伝送方式のデジタル回線に接続するようにしてもよい。
【００２０】
以上のように構成された本実施形態のファクシミリ装置２０は、通常のＧ３方式等のファクシミリ通信機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号されて画像記録部３からハードコピーとして出力される。なお、画像メモリ８はイメージデータを必要に応じて記憶し、また逆に記憶しているイメージデータを必要に応じて出力する。
【００２１】
さらに、高速でファクシミリ通信などのデータ通信が可能なＶ．３４モードの通信手順について説明する。ファクシミリ装置などの通信端末装置でデータ通信を行う場合には半二重方式の例えばＩＴＵ−Ｔ（国際電気通信連合−電器通信標準化部門）の勧告Ｖ．１７モードの通信手順等に準拠した変復調装置を使用し、Ｇ３規格のファクシミリ通信手順でもある同勧告Ｔ．３０に規定されている手順に従って行う。また、同勧告Ｖ．３４に準拠した最大伝送速度が３３．６ｋｂｐｓの超高速の通信手順（以下、Ｖ．３４モードの通信手順という。）も実用化されており、このＶ．３４モードの通信手順では通信の開始時点及び通信実行中において、受信側でその時点の回線状況、具体的にはＳ／Ｎ（信号対雑音電力比）、帯域幅に応じて通信速度を指定することが可能であり、送信側ではそのようにして受信側で指定された通信速度で送信を行うように通信速度を変更する。なお、Ｖ．３４モードの通信手順でデータ通信を行う場合には同じく同勧告Ｖ．８通信手順で前手順を行って実際の通信速度を決定する。
【００２２】
図３は、図１のファクシミリ装置２０の主制御部１によって実行されるファクシミリ受信処理を示すフローチャートである。
【００２３】
図３のステップＳ１において、着信したか否かが判断され、ＹＥＳのときはステップＳ２に進む一方、ＮＯのときはステップＳ１に戻って処理を繰り返す。ステップＳ２において、ＣＮＧ信号（発呼トーン）を受信し、ＣＥＤ信号（被呼局確認信号）を送出する。ステップＳ３において、ＮＳＦ信号（非標準装置信号）及びＤＩＳ信号（デジタル識別信号）を送出し、ＴＳＩ信号（送信局識別信号）及びＤＣＳ信号（デジタル命令信号）を受信する。ステップＳ４において、ＴＣＦ信号（トレーニングチェック信号）を受信し、ＥＱＭ値をサンプリングして測定し、所定期間のＥＱＭ値測定データをＲＡＭ７に一時的に記憶する。ステップＳ５において、ＥＱＭ値測定データに基づいてＥＱＭ値の平均値及びバラツキを計算する。ステップＳ６において、計算されたＥＱＭ値の平均値及びバラツキと、ＥＱＭデータテーブル７ａ内のＥＱＭ値の平均値及びバラツキとをそれぞれ比較する。ステップＳ７において、計算されたＥＱＭ値の平均値及びバラツキと、ＥＱＭデータテーブル７ａ内のＥＱＭ値の平均値及びバラツキとが一致するか否かが判断され、ＹＥＳのときはステップＳ７Ａに進む一方、ＮＯのときはステップＳ８に進む。
【００２４】
ステップＳ７Ａにおいて、ＥＱＭテーブル７ａにおいて、一致したＥＱＭの平均値及びバラツキに対応する画像データのエラーライン数は０を超えるか否かが判断され、ＹＥＳのときはステップＳ８に進む一方、ＮＯのときはステップＳ９に進む。ステップＳ９において、ＣＦＲ信号（受信準備確認信号）を送出する。ステップＳ８において、ＦＴＴ信号（トレーニング失敗信号）を送出した後、ステップＳ４に戻って処理を繰り返す。ステップＳ１０において、画像データを受信し、ＥＱＭ値をサンプリングして測定し、所定期間のＥＱＭ値測定データをＲＡＭ７に一時的に記憶するとともに画像データのエラーライン数を測定する。ステップＳ１１において、ＥＱＭ値測定データに基づいてＥＱＭ値の平均値及びバラツキを計算する。ステップＳ１２において、計算されたＥＱＭ値の平均値及びバラツキ並びに測定されたエラーライン数をＥＱＭデータテーブル７ａに記憶する。なお、これら記憶されたデータをＥＱＭデータテーブル７ａ内のデータと比較して同一の伝送モード及び伝送速度でかつ同一のＥＱＭ値の平均値のときは、それぞれより大きな値を有するバラツキとエラーライン数を上書き記憶する。ステップＳ１３において、次のページがあるか否かが判断され、ＹＥＳのときはステップＳ１０に戻って処理を繰り返す一方、ＮＯのときはステップＳ１４に進む。ステップＳ１４において、回線を開放し、その後、ステップＳ１に戻って処理を繰り返す。
【００２５】
以上説明したように、本実施形態に係るファクシミリ装置２０によれば、相手先のファクシミリ装置から画像データを受信し、ＲＡＭ７は、当該画像データのＥＱＭ（アイ品質モニタ）値の平均値及びバラツキ並びに画像データのエラーライン数を測定してＥＱＭデータテーブル７ａとして記憶し、主制御部１は、別のファクシミリ通信において、相手先のファクシミリ装置からトレーニング信号を受信してトレーニング処理を実行し（図３のステップＳ４）、当該トレーニング信号のＥＱＭ値の平均値及びバラツキを測定し（ステップＳ４−Ｓ５）、測定されたＥＱＭ値の平均値及びバラツキを上記ＥＱＭデータテーブル内のＥＱＭ値の平均値及びバラツキと比較し（ステップＳ６−７）、一致しないとき（ステップＳ７でＮＯ）再度トレーニング処理を実行する（ステップＳ８）ように制御する一方、一致しているとき（ステップＳ７でＹＥＳ）画像データを受信する（ステップＳ９−１０）ように制御する。従って、予め測定された画像データのＥＱＭ値に基づいて伝送レートを決定するので、より確実に画像データを受信することができる。
【００２６】
また、上記ファクシミリ装置２０において、主制御部１は、上記測定されたＥＱＭ値の平均値及びバラツキを上記ＥＱＭデータテーブル内のＥＱＭ値の平均値及びバラツキと比較したときに、一致しているとき画像データを受信する（ステップＳ９−Ｓ１０）前に、上記一致したＥＱＭ値の平均値及びバラツキに対応する上記ＥＱＭデータテーブル内の画像データのエラーライン数が０を超えるときに（ステップＳ７ＡでＹＥＳ）、再度トレーニング処理を実行する（ステップＳ８）ように制御する。従って、予め測定された画像データのエラーライン数に基づいて伝送レートを決定するので、より確実に画像データを受信することができる。
【産業上の利用可能性】
【００２７】
以上詳述したように、本発明に係る通信端末装置によれば、予め測定された画像データのＥＱＭ値に基づいて伝送レートを決定するので、より確実に画像データを受信することができる。また、予め測定された画像データのエラーライン数に基づいて伝送レートを決定するので、より確実に画像データを受信することができる。
【図面の簡単な説明】
【００２８】
【図１】本発明の実施形態に係るファクシミリ装置２０の構成を示すブロック図である。
【図２】図１のＲＡＭ７内に格納されるＥＱＭデータテーブル７ａの一例を示す図である。
【図３】図１のファクシミリ装置２０の主制御部１によって実行されるファクシミリ受信処理を示すフローチャートである。
【符号の説明】
【００２９】
１…主制御部（ＣＰＵ）、
２…画像読取部、
３…画像記録部、
４…表示部、
５…操作部、
６…ＲＯＭ、
７…ＲＡＭ、
７ａ…ＥＱＭデータテーブル、
８…画像メモリ、
１０…ファックスモデム、
１１…ＮＣＵ、
１２…ＬＡＮインターフェース回路、
１３…バス、
２０…ファクシミリ装置、
Ｌ…公衆電話回線。
【図１】
0004487949.tif 000002
【図２】
0004487949.tif 000003
【図３】
0004487949.tif 000004